(57)【要約】【課題】遊技球が転動する皿状の遊技部材を備えた遊技機において、遊技部材の下方に配置された可動入賞装置の入賞タイミングに合わせて、遊技部材の底面を転動する遊技球の経路を変化させることにより、遊技の面白さを増すことである。【解決手段】皿状の遊技部材本体１の底面を転動する遊技球Ｂの勢いが減衰すると、前記底面に設けられた球落下口５に導かれて落下される遊技部材Ａ1 と、該遊技部材Ａ1 の下方に配置された入賞回転体（可動入賞装置）Ｃとを備えた遊技機において、前記遊技部材本体１の底面の形状を変更させるための底面形状変更具２と、前記入賞回転体Ｃの動作に合わせた所定のタイミングで前記底面形状変更具２を作動させるために前記入賞回転体Ｃの回転位置を検出するエンコーダ（形状変更制御手段）２２とを備えた構成とする。【選択図】        図３
2004187969.tif 000002
【特許請求の範囲】
【請求項１】
皿状の遊技部材本体の底面を転動する遊技球の勢いが減衰すると、前記底面に設けられた球落下口に導かれて落下される遊技部材と、該遊技部材の下方に配置された可動入賞装置とを備えた遊技機において、
前記遊技部材本体の底面の形状を変更させるための底面形状変更手段と、前記可動入賞装置の動作に合わせた所定のタイミングで前記底面形状変更手段を作動させる形状変更制御手段とを備え、前記遊技部材の球落下口から遊技球が落下するタイミングを調整可能にしたことを特徴とする遊技機。
【発明の詳細な説明】
【０００１】
【発明の属する技術分野】
本発明は、皿状の遊技部材の底面を転動する遊技球の勢いが減衰すると、その中央の球落下口に導かれて、前記遊技部材の下方の可動入賞装置に向けて落下する遊技機に関するものである。
【０００２】
【従来の技術】
パチンコ機の一つとして、皿状の遊技部材本体の底面を転動する遊技球の勢いが減衰すると、その中央の球落下口に導かれて落下される遊技部材と、該遊技部材の下方に配置された可動入賞装置とを備え、該可動入賞装置の入賞状態において遊技部材の中央の球落下口に遊技球が導かれて落下すると、可動入賞装置に対する入賞率が高まる構成のものがある（例えば、特許文献１）。
【０００３】
【特許文献１】
特開平７−１２４３０４号公報
【０００４】
しかしながら、特許文献１に記載の遊技機は、遊技球が転動する皿状の遊技部材の底面の形状が不変であるために、底面に対する遊技球の転動態様は、ほぼ一定していて球経路が予測できるため、面白さに欠けていた。
【０００５】
【発明が解決しようとする課題】
本発明の課題は、遊技球が転動する皿状の遊技部材を備えた遊技機において、遊技部材の下方に配置された可動入賞装置の入賞タイミングに合わせて、遊技部材の底面を転動する遊技球の経路を変化させることにより、遊技の面白さを増すことである。
【０００６】
【課題を解決するための手段】
上記課題を解決するための第１解決手段（請求項１の発明）は、皿状の遊技部材本体の底面を転動する遊技球の勢いが減衰すると、前記底面に設けられた球落下口に導かれて落下される遊技部材と、該遊技部材の下方に配置された可動入賞装置とを備えた遊技機において、前記遊技部材本体の底面の形状を変更させるための底面形状変更手段と、前記可動入賞装置の動作に合わせた所定のタイミングで前記底面形状変更手段を作動させる形状変更制御手段とを備え、前記遊技部材の球落下口から遊技球が落下するタイミングを調整可能にしたことを特徴としている。
【０００７】
第１解決手段によれば、遊技部材の底面形状が変化するので、遊技部材の下方に配置された可動入賞装置の動作タイミングに合わせて、遊技部材の底面上を転動する遊技球を落下させることができる。このため、可動入賞装置の入賞状態においては、遊技部材の底面を転動する遊技球が短時間で落下するよう遊技者に有利な制御を行うことにより、遊技状態の有利・不利を調整できる。
【０００８】
また、第２解決手段は、第１解決手段において、前記底面形状変更手段は、遊技部材の底面の裏側から内部に出没して、底面を転動する遊技球が衝突可能な１ないし複数の衝突片と、この１ないし複数の衝突片に上記運動をさせるための駆動手段とで構成されることを特徴としている。
【０００９】
第２解決手段によれば、遊技部材の底面から衝突片が突出して、遊技球が衝突片に衝突することにより、遊技球の勢い、即ち転動経路を大きく変化させられるので、請求項１の発明の上記作用効果が一層顕著に奏される。
【００１０】
また、第３解決手段は、第１解決手段において、前記底面形状変更手段は、球落下口に対する底面の傾斜状態が可変となる柔軟な材質で形成された前記遊技部材の上縁部が固定された姿勢で、その落下口の部分に外力を付与させて上下方向に変位させるための外力付与手段であることを特徴としている。
【００１１】
第３解決手段によれば、遊技部材を柔軟な材質で形成して、その底面の傾斜状態を変化させて、遊技部材の底面上を転動する遊技球の経路を変化させる構成であって、簡単な構造によって遊技球の落下タイミングを調整できて、請求項１に記載の作用効果が確実に奏される。
【００１２】
また、第４解決手段は、第１ないし第３のいずれかの解決手段において、前記形状変更制御手段は、予め定められた条件が成立したときに作動して、前記可動入賞装置が遊技者に有利な状態となるタイミングで遊技部材の球落下口から遊技球を落下させるように制御することを特徴としている。
【００１３】
第４解決手段によれば、可動入賞装置が遊技者に有利な状態となるときに、その上方の遊技部から遊技球が落下するように調整できるため、遊技者に大きな利益を与えることができる。
【００１４】
【発明の実施の形態】
以下、実施例を挙げて本発明を更に詳細に説明する。図１は、本発明に第１実形態の遊技部材Ａ1 が組み込まれたパチンコ機の遊技面の正面図である。最初に遊技部材Ａ1 との関係においてパチンコ機の全体構成の概略について説明し、その後に本発明に係る遊技部材Ａ1 について詳細に説明する。このパチンコ機は、「権利もの」と称される第３種パチンコ機であって、遊技盤５１には、外側及び内側の各球案内レール５２，５３が取付けられて、各球案内レール５２，５３によって囲まれる領域が遊技領域５４となっている。外側及び内側の各球案内レール５２，５３が内外で重なる部分は、球発射通路５５を形成していて、球発射装置（図示せず）から発射された球は、前記球発射通路５５を通って、前記遊技領域５４に放たれる。遊技領域５４には、多数の釘が適宜配置され、遊技領域５４に放たれた球は、これらの釘により流れを変化させられ、或いは所定方向に誘導されながら、遊技領域５４の下方に向かって流れる。
【００１５】
また、遊技領域５４の略中央部には、電動式の普通役物装置５６と権利発生装置（「センタ役物装置」と称されることもある）５７とが相上下して配置されている。電動式の前記普通役物装置５６は、モータ、ソレノイド等の電動アクチュエータを駆動源として開閉動作を行う一対の開閉部材５６ａを備えていて、該一対の開閉部材５６ａの間が可変入賞口５８となっている。また、権利発生装置５７は、その中央部に２つの図柄表示部５９が横方向に並んで配置されている。この実施形態では、前記図柄表示部５９は、７セグメントの表示部で構成される。
【００１６】
また、権利発生装置５７の左斜下方には、普通役物作動器６１が配置されている。この普通役物作動器６１は、その入賞口に球が入ると、この入賞検出信号に基づいて、電動式の前記普通役物装置５６を構成する一対の開閉部材５６ａが所定時間（例えば、０．５秒）だけ開放した後に、元の閉塞状態に戻るようになっている。権利発生装置５７の右斜上方には、第３種始動装置６２が配置され、該第３種始動装置６２の直下には、大入賞口装置６３が配置されている。大入賞口装置６３は、大入賞口６４とこの大入賞口６４を開閉する開閉扉６５とを備えている。「大当り遊技」の権利が発生している状態で、第３種始動装置６２に球が入賞すると、大入賞口装置６３の開閉扉６５が所定条件の間のみ開く構成になっている。また、開閉扉６５の直下には、大入賞口６４への入賞球数をカウントするカウント表示器６６が設けられている。
【００１７】
また、普通役物装置５６の右上方には、本発明に係る皿状の遊技部材Ａ1 が配置され、遊技部材Ａ1 の直下には、円盤状の入賞回転体Ｃが配置されている。普通役物装置５６の左上方、及び普通役物装置５６の両側には、遊技領域５４を流れる球の方向を変化させる風車６８がそれぞれ配置されている。遊技領域５４の中央最下部には、いずれの入賞口にも入賞しなかった球を流入させて外部に排出させるアウト口６９が配置されている。
【００１８】
次に、皿状をした遊技部材Ａ1 及びその直下に配置される入賞回転体Ｃについて説明する。図２は、遊技部材Ａ1 及び入賞回転体Ｃの配置状態において遊技部材Ａ1 の一部を破断した斜視図であり、図３は、同じく縦断面図であり、図４（イ),（ロ）は、それぞれ衝突片７が突出した状態、及び引っ込んだ状態の遊技部材Ａ1 の一部を破断した斜視図であり、図５（イ),（ロ）は、それぞれ低確率時（又は通常時）における遊技部材Ａ1 及び入賞回転体Ｃの縦断面図及び平面図であり、図６（イ),（ロ）は、それぞれ高確率時における同様の状態を示す図である。この遊技部材Ａ1 は、皿状をした遊技部材本体１と、該遊技部材本体１の直下に配置されて、遊技部材本体１の底面を転動する遊技球Ｂの経路を急変させる底面形状変更具２とで構成される。遊技部材本体１は、短円筒状をした外周壁部３の内側に底板部４が一体に設けられて、全体形状が皿状となっていて、底板部４の中央部に球落下口５が設けられていると共に、底板部４における前記球落下口５を中心とする放射方向に複数の衝突片挿通孔６が設けられている。外周壁部３の上端部は、底板部４を転動する遊技球Ｂの外周を規制する規制壁部として機能している。
【００１９】
また、遊技部材本体１を構成する底板部４の下方には、該底板部４の形状を変化させるための底面形状変更具２が上下動可能となって配置されている。この底面形状変更具２は、遊技部材本体１の底板部４に設けられた各衝突片挿通孔６から衝突片７を突出させて、底板部４を転動する遊技球Ｂを衝突させて、その球経路を急変させる構成である。即ち、底面形状変更具２は、リング板状をした取付け板８と、この取付け板８の上面に一体に取付けられて、周方向に沿って所定間隔をおいて遊技部材本体１の底板部４の各衝突片挿通孔６に挿通される複数の衝突片７とで構成される。底面形状変更具２の取付け板８の下面には、その半径方向外側に突出した状態で被作動部９が一体に設けられていて、該被作動部９は、この外周形状に対応したガイド枠体１１内に収納されて、底面形状変更具２が水平を維持した状態で上下動できるようにしてある。底面形状変更具２は、これを構成する被作動部９の下方に配置された偏心カム１２の回転により水平を維持して上下動すると共に、被作動部９に連結された引張バネ１３の作用により常時下方に付勢されている。なお、図４においてＭ1 は、自身の駆動軸Ｍ1aに偏心カム１２を取付けて、これを回転させるモータを示す。
【００２０】
次に、図２及び図３を参照にして、入賞回転体Ｃについて説明する。入賞回転体Ｃは、円盤体１４に、その回転中心に対して同心円上に、２種類で構成される複数（実施形態では４個）の球落下口１５ａ，１５ｂが周方向に沿って等間隔をおいて設けられ、特定の一つの球落下口１５ａは、これのみに遊技球Ｂの通過を検出する球検出センサ１６が設けられていて、入賞球落下口となっている。この球落下口１５ａ，１５ｂは、円盤体１４の外周に開口している。この入賞回転体Ｃは、その回転軸１７に取付けられた歯車１８と、モータＭ2 の駆動軸Ｍ2aに取付けられた歯車１９との間にベルト２１が掛装され、モータＭ2 の回転により連続又は断続回転する。また、入賞回転体Ｃの回転軸１７には、入賞回転体Ｃの回転位置を検出するエンコーダ（回転角検出器）２２が取付けられている。この入賞回転体Ｃは、その回転により各球落下口１５ａ，１５ｂが常に遊技部材本体１の球落下口５の直下に配置されるようにして、遊技部材本体１の中心（球落下口５の位置）よりも所定距離だけずれて（正確には、配置状態において遊技盤５１の横方向にずれて）配置されている。このため、図５及び図６に示されるように、遊技部材Ａ1 及び入賞回転体Ｃの配置状態では、それらの手前側の一部のみが遊技盤面から手前側に突出していて、残りの部分は、遊技盤５１の内部に配置された形態となっている。
【００２１】
そして、入賞回転体Ｃは、低速で連続回転又は断続回転していて、その回転位置、即ち入賞球落下口である球落下口１５ａの回転位置は、エンコーダ２２により検出されている。そして、球落下口１５ａが、図６（ロ）で（θ0)で示される「特定角度範囲」に位置する場合は、入賞回転体Ｃは、その球落下口１５ａが遊技部材Ａ1 の球落下口５の直下に向けて回転して、遊技部材Ａ1 の球落下口５から落下する遊技球Ｂが入賞回転体Ｃの球落下口１５ａに落下する（即ち、入賞する）確率が高い「高確率時」であると共に、前記「特定角度範囲」以外の「他の角度範囲」に入賞回転体Ｃの球落下口１５ａが位置する場合は、上記確率が低い「低確率時」である。
【００２２】
一方、モータＭ1 の回転により偏心カム１２が回転すると、底面形状変更具２は、その被作動部９が作動されて常時下方に付勢された状態で上下運動を行って、各衝突片７は、遊技部材本体１の衝突片挿通孔６を通って底板部４に対して出没する。各衝突片７が底板部４から引っ込んでいる状態〔図４（イ）及び図５〕では、遊技部材本体１の底板部４に入り込んだ遊技球Ｂは、この上面を矢印Ｐ1 で示されるように周方向に沿って抵抗なくスムーズに転動して、その勢いの減衰による速度の低下により徐々に転動軌跡が中央の球落下口５に向けて収束して、最後に球落下口５から落下される。即ち、各衝突片７が底板部４から引っ込んでいる状態では、一般に遊技部材本体１内に遊技球Ｂが入り込んでから、中央の球落下口５を通って落下するまでに多くの時間を要する。これに対して、各衝突片７が底板部４から突出している状態〔図４（ロ）及び図６〕では、遊技部材本体１に入り込んだ遊技球Ｂは、矢印Ｐ2 に示されるように、直ちにいずれかの衝突片７に衝突して、この衝突片７に沿って中央の球落下口５に向けて転動するために、遊技部材本体１内に遊技球Ｂが入り込んでから、中央の球落下口５を通って落下するまでの時間は、衝突片７が引っ込んでいる状態に比較して、遥かに短い。
【００２３】
また、エンコーダ２２によって前記「特定角度範囲（θ0)」内に入賞回転体Ｃの球落下口１５ａが達したことが検出された状態では、底面形状変更具２は、上昇端位置に向けて上昇していて、入賞回転体Ｃの球落下口１５ａが遊技部材本体１の球落下口５に達する前に上昇端に達するように、モータＭ1 の回転が制御されている。このため、前記「特定角度範囲（θ0)」内に入賞回転体Ｃの球落下口１５ａが達した「高確率時」において、遊技部材本体１内に遊技球Ｂが入り込むと、この遊技球Ｂは、遊技部材本体１の底板部４から上方に突出した複数の衝突片７のいずれかに衝突して、短時間内に中央の球落下口５に導かれて落下して、その直下の入賞回転体Ｃの球落下口１５ａを通過する確率が高くなる。入賞回転体Ｃの球落下口１５ａを遊技球Ｂが通過すると、球検出センサ１６によりこれが検出されて、所定数の入賞球が払い出される。このように、底面形状変更具２の各衝突片７は、入賞回転体Ｃの入賞落下口１５ａに入賞する確率が高くなると、遊技部材本体１の底板部４の上面に突出して、底板部４上を転動する遊技球Ｂが入賞落下口１５ａに入賞し易くなって、遊技者に有利となるために、遊技の面白さが増す。
【００２４】
また、入賞回転体Ｃの入賞落下口１５ａに入賞落下した場合には、所定数の賞球の払い出しにとどまらず、遊技者に対して更に大きな利益である「大当り遊技」の権利等を発生させることも可能である。
【００２５】
また、入賞回転体Ｃの球落下口１５ａが遊技部材本体１の球落下口５に達した後においては、底面形状変更具２は下降を開始して、各衝突片７は底板部４の上面から下方に退避して、遊技部材本体１の底板部４は、「低確率時」の形状に変更される。なお、入賞回転体Ｃの円盤体１４の上面に直接に落下した遊技球Ｂは、円盤体１４の上面を転動して、その周縁又はいずれかの球落下口１５ａ, １５ｂから落下される。
【００２６】
引き続いて、本発明の第２実施形態の遊技部材Ａ2 について説明する。図７は、遊技部材Ａ2 及び入賞回転体Ｃの配置状態において遊技部材Ａ1 の一部を破断した斜視図であり、図８は、同様の状態の縦断面図であり、図９（イ), (ロ）は、低確率時における遊技部材Ａ2 及び入賞回転体Ｃの縦断面図及び平面図であり、図１０（イ), (ロ）は、高確率時における同様の状態の縦断面図及び平面図である。なお、遊技部材Ａ2 の斜下方に配置される入賞回転体Ｃの構成及び作用は、既述の通りであるので、重複説明を避けて図示のみ行う。
【００２７】
この遊技部材Ａ2 は、可変遊技部材本体３１と、該遊技部材本体３１に下方への引張力を付与させるために、その下部に水平方向に沿って一体に連結された荷重付与アーム３２とで構成される。可変遊技部材本体３１の底板部３３の中央に球落下口３４が形成されていると共に、可変遊技部材本体３１の上縁部には、当該部分の下方への移動を阻止するために周辺部材３５に引っ掛けられる鍔部３６が形成されている。可変遊技部材本体３１は、その上部の鍔部３６を固定した状態で、その下部に引張力を加えることにより底板部３３が復元可能なように大きく変形して、球落下口３４に対する底板部３３の傾斜角度が可変となるようなゴム材等の柔軟な材料で形成されている。荷重付与アーム３２には、引張バネ３７が連結されて、遊技部材本体３１を常に下方に引っ張っていると共に、偏心カム３８の作用によって、荷重付与アーム３２は前記引張バネ３７の引張力に抗して上下動する構成となっている。これにより、図９（イ）及び図１０（イ）に示されるように、遊技部材本体３１は、その上縁の鍔部３６が固定された状態で、球落下口３４の部分が上下方向に移動して、球落下口３４に対する底板部３３の傾斜角度が可変となっている。なお、偏心カム３８は、モータＭ3 の駆動軸Ｍ3aに取付けられている。
【００２８】
そして、入賞回転体Ｃの球落下口１５ａが上記「特定角度範囲（θ0)」以外の角度範囲に位置している場合、即ち「低確率時（又は通常時）」には、図９に示されるように、可変遊技部材本体３１の底板部３３は、偏心カム３８の作用により引張バネ３７の引張力に抗して上昇して、水平に対して僅かの角度（θ1)だけ傾斜した状態となる。この状態では、底板部３３は水平に近い状態であるので、遊技領域５４に放たれて、可変遊技部材本体３１に入り込んだ遊技球Ｂは、その底板部３３の上面を転動して、その勢いが減衰するに従って中央の球落下口３４に近づいて、これから落下される。入賞回転体Ｃの入賞球落下口１５ａは、可変遊技部材本体１の球落下口３４から離れているために、球落下口３４から落下した遊技球Ｂが入賞回転体Ｃの入賞球落下口１５ａに入賞する確率は低い。
【００２９】
また、入賞回転体Ｃの回転によって、その入賞球落下口１５ａが前記「特定角度範囲（θ0)」に入り込むと、エンコーダ２２がこれを検出してモータＭ3 が起動することにより、引張バネ３７の引張力により可変遊技部材本体３１の下端部は下方に引っ張られて、図１０に示されるように、可変遊技部材本体３１の中心の球落下口３４に対する底板部３３の傾斜角度（θ2)が急激に大きくなる。これにより、可変遊技部材本体３１の底板部３３を転動する遊技球Ｂが、その中心の球落下口３４から落下するのに要する時間が短くなって、入賞回転体Ｃの入賞球落下口１５ａに入賞する確率が急激に高まる。このように、第２実施形態においても、柔軟な材質で形成された可変遊技部材本体３１は、その斜下方に配置された入賞回転体Ｃの入賞球落下口１５ａの回転角度位置に対応して大きく変形されて、前記入賞球落下口１５ａに入賞する確率が急激に高まるために、遊技者に大きな期待感が与えられて、遊技の面白さが大幅に増す。
【００３０】
また、遊技部材の構造としては、第１及び第２の各実施形態を組み合わせた構造、即ち、遊技部材全体が大きく可動して、球落下口に対する底面の傾斜角度か変更可能であって、しかも底面からは衝突片が出没する構成にすることも可能である。
【００３１】
また、上記各実施形態は、いずれも遊技部材Ａ1,Ａ2 の下方に配置される可動入賞装置が入賞回転体Ｃであるが、本発明においては、可動入賞装置はこれに限定されず、例えば、一対の開閉部材が開いて入賞開口が形成される構成のものであってもよい。
【００３２】
また、上記実施形態の「形状変更制御手段」である「エンコーダ」は、入賞回転体Ｃの回転角度（回転位相）を直接に検出して、遊技部材本体１（可変遊技部材本体３１）の形状を変化させているが、以下のような形態も本発明の「形状変更制御手段」に含まれるものである。即ち、前記入賞回転体Ｃ等の可動入賞装置が一定周期で動作している場合に、タイマー等を使用して可動入賞装置の動作の何周期かに１回だけ遊技部材の底面形状を変化させるものであってもよい。例えば、可動入賞装置が４秒毎に１回転している状態で、遊技部材の底面形状の変化は１６秒毎に変化するものであってもよい（即ち、可動入賞装置が４回作動する間に１回の割合で、特定の入賞口に入り易くする）。また、タイマー等を使用しなくても、機械制御（モーターの回転数や歯車のギア比の調整等）で周期を同期させる手法であっても、本発明の「形状変更制御手段」に含まれるものである。
【００３３】
【発明の効果】
本発明に係る遊技機は、皿状の遊技部材本体の底面の形状を変更させるための底面形状変更手段と、前記可動入賞装置の動作に合わせた所定のタイミングで前記底面形状変更手段を作動させる形状変更制御手段とを備えていて、遊技部材の下方に配置された可動入賞装置の入賞タイミングに合わせて、遊技部材の底面を転動する遊技球の経路を変化させるので、可動入賞装置の入賞状態においては、遊技部材の底面を転動する遊技球が短時間で落下するよう遊技者に有利な制御を行うことにより、遊技状態の有利・不利を調整できて、遊技の面白さを増すことができる。
【図面の簡単な説明】
【図１】本発明に第１実形態の遊技部材Ａ1 が組み込まれたパチンコ機の遊技面の正面図である。
【図２】遊技部材Ａ1 及び入賞回転体Ｃの配置状態において遊技部材Ａ1 の一部を破断した斜視図である。
【図３】同じく縦断面図である。
【図４】（イ),（ロ）は、それぞれ衝突片７が突出した状態、及び引っ込んだ状態の遊技部材Ａ1 の一部を破断した斜視図である。
【図５】（イ),（ロ）は、それぞれ低確率時（又は通常時）における遊技部材Ａ1 及び入賞回転体Ｃの縦断面図及び平面図である。
【図６】（イ),（ロ）は、それぞれ高確率時における同様の状態を示す図である。
【図７】遊技部材Ａ2 及び入賞回転体Ｃの配置状態において遊技部材Ａ2 の一部を破断した斜視図である。
【図８】同様の状態の縦断面図である。
【図９】（イ), (ロ）は、低確率時における遊技部材Ａ2 及び入賞回転体Ｃの縦断面図及び平面図である。
【図１０】（イ), (ロ）は、高確率時における同様の状態の縦断面図及び平面図である。
【符号の説明】
Ａ1,Ａ2 ：遊技部材
Ｃ：入賞回転体（可動入賞装置）
１：遊技部材本体
２：底面形状変更具（底面形状変更手段）
７：衝突片
２２：エンコーダ（形状変更制御手段）
３１：可変遊技部材本体（底面形状変更手段）
【図１】
2004187969.tif 000003
【図２】
2004187969.tif 000004
【図３】
2004187969.tif 000005
【図４】
2004187969.tif 000006
【図５】
2004187969.tif 000007
【図６】
2004187969.tif 000008
【図７】
2004187969.tif 000009
【図８】
2004187969.tif 000010
【図９】
2004187969.tif 000011
【図１０】
2004187969.tif 000012